(57)【要約】【課題】本発明は、建物の屋上やベランダ等の被貫通部材を貫通して突出した貫通部材の外形に関わらず防水性能が確保出来、美観も向上出来る貫通部材の防水構造を提供することを可能にすることを目的としている。【解決手段】柱脚３の外周に樹脂製の防水部材４の嵌装部４ａを嵌装し、屋上床１に敷設された樹脂製の防水シート１ａに防水部材４の鍔部４ｂを溶着し、柱脚３の樹脂コーティング部３ａに防水部材４の嵌装部４ａを水密的に溶着した構成であることを特徴とする。【選択図】　　　図１
2004076381.tif 000002
【特許請求の範囲】
【請求項１】
建物の屋上やベランダ等の被貫通部材を貫通部材が貫通する際の防水構造であって、
前記貫通部材の外周に嵌装される樹脂製の嵌装部を有する防水部材を有し、
前記貫通部材の前記防水部材の嵌装部が嵌装される部位の少なくとも上部の外周表面が樹脂コーティングされ、前記防水部材の嵌装部を前記貫通部材に嵌装して該嵌装部と前記貫通部材表面の樹脂コーティング部とが水密的に溶着または接着されたことを特徴とする貫通部材の防水構造。
【請求項２】
前記防水部材は前記嵌装部の外縁に水密的に接続された鍔部を有し、
前記被貫通部材の表面が樹脂面であり、前記防水部材の鍔部が樹脂製で、該鍔部と前記被貫通部材の樹脂面とが溶着または接着されたことを特徴とする請求項１に記載の貫通部材の防水構造。
【発明の詳細な説明】
【０００１】
【発明の属する技術分野】
本発明は、建物の屋上やベランダ等の被貫通部材を、柱脚等の貫通部材が貫通する際の防水構造に関するものである。
【０００２】
【従来の技術】
従来、ベランダや屋上利用部に手摺を設置する場合、鉄骨梁等に固定された柱脚がベランダ床や屋上床、或いは屋上周りに立ち上がったパラペットに貫通して立設される。
【０００３】
柱脚の防水構造としては柱脚の根元にモルタルを打設した根巻きモルタルや、特開昭５８−６２２３６号公報に記載されたように、円筒部とフランジ部を有する防水部材を用いて、円筒部を締付バンドで締着し、フランジ部を床の防水シートに溶接する防水構造が提案されている。
【０００４】
図３及び図４は従来の柱脚の防水構造の一例を説明する図である。図３において、屋上床５１の鉄骨梁等に固定された雌ネジ部材５２が屋上床５１内部に埋設されて雌ネジ部５２ａが屋上床５１の表面に露出しており、柱脚５３の円筒部５３ａに設けられた雄ネジ部５３ａ１を屋上床５１に埋設された雌ネジ部材５２の雌ネジ部５２ａに螺合締着して柱脚５３が屋上床５１に貫通して立設される。
【０００５】
柱脚５３を取り付けるに先立って該柱脚５３の円筒部５３ａの外周面にはシール材５５が打設され、更に該円筒部５３ａの外周には樹脂製のハット型の防水部材５４の円筒部５４ａが嵌装される。
【０００６】
そして、図４に示すように、柱脚５３の円筒部５３ａに設けられた雄ネジ部５３ａ１を屋上床５１に埋設された雌ネジ部材５２の雌ネジ部５２ａに螺合締着して柱脚５３を屋上床５１に貫通して立設させ、屋上床５１に敷設された樹脂製の防水シート５１ａに防水部材５４の鍔部５４ｂを溶着させる。溶着に際しては、図３に示すように、防水シート５１ａと鍔部５４ｂとの間に刷毛５６を使って溶剤を塗布することで溶着することが出来る。
【０００７】
そして、防水部材５４の円筒部５４ａの先端を適当な長さで切り落とし、締付バンド５７を該円筒部５４ａの先端部近傍で外側から柱脚５３の円筒部５３ａに一体的に締付けて固定し、柱脚５３の円筒部５３ａと防水部材５４の円筒部５３ａとの接合部にシール材５５を打設してシーリングし、これにより屋上床５１と柱脚５３との間の防水性能が確保される。
【０００８】
【発明が解決しようとする課題】
しかしながら、前述の従来例では、シール材５５によるシーリングや締付バンド５７を締着することによる止水のし易さから柱脚５３の形状は略円筒形に限定されてしまい、柱脚５３の上部に設置されるベランダの柱の形状と合わず美観を損ねるという問題があった。
【０００９】
また、角型の柱を柱脚５３上に接続するために円筒部５３ａと角型の柱との間に幅広の方形平板５３ｂが介在するため美観を損ねるという問題があった。
【００１０】
本発明は前記課題を解決するものであり、その目的とするところは、建物の屋上やベランダ等の被貫通部材を貫通して突出した柱脚等の貫通部材の外形に関わらず防水性能が確保出来、美観も向上出来る貫通部材の防水構造を提供せんとするものである。
【００１１】
【課題を解決するための手段】
前記目的を達成するための本発明に係る貫通部材の防水構造は、建物の屋上やベランダ等の被貫通部材を貫通部材が貫通する際の防水構造であって、前記貫通部材の外周に嵌装される樹脂製の嵌装部を有する防水部材を有し、前記貫通部材の前記防水部材の嵌装部が嵌装される部位の少なくとも上部の外周表面が樹脂コーティングされ、前記防水部材の嵌装部を前記貫通部材に嵌装して該嵌装部と前記貫通部材表面の樹脂コーティング部とが水密的に溶着または接着されたことを特徴とする。
【００１２】
本発明は、防水部材の嵌装部を貫通部材に嵌装して該嵌装部と貫通部材表面の樹脂コーティング部とが水密的に溶着または接着される構成としたことで建物の屋上やベランダ等の被貫通部材を貫通して突出した貫通部材の外形に関わらず防水性能が確保出来、これにより前述した従来例と比較して美観も向上出来る。
【００１３】
また、前記防水部材は前記嵌装部の外縁に水密的に接続された鍔部を有し、前記被貫通部材の表面が樹脂面であり、前記防水部材の鍔部が樹脂製で、該鍔部と前記被貫通部材の樹脂面とが溶着または接着される構成としたことで、被貫通部材と、これを貫通する貫通部材との間の防水性能が確保出来る。
【００１４】
【発明の実施の形態】
図により本発明に係る貫通部材の防水構造の一例として、建物の屋上床に貫通して設けられた柱脚の防水構造の一実施形態を具体的に説明する。図１は本発明に係る貫通部材の防水構造を示す分解斜視図、図２は本発明に係る貫通部材の防水構造を示す斜視図である。
【００１５】
図１及び図２において、建物の屋上の被貫通部材となる屋上床１の鉄骨梁２に貫通部材となる柱脚３が固定され、該柱脚３が屋上床１を貫通して該屋上床１の表面に露出して立設される。
【００１６】
柱脚３の屋上床１から露出した所定の部位には、該柱脚３の外周表面の全周に亘って樹脂コーティング部３ａが形成されている。また、屋上床１の上面には樹脂製の防水シート１ａが敷設されており、これにより、被貫通部材となる屋上床１の表面が樹脂面となるように構成されている。
【００１７】
４は樹脂製の防水部材であり、貫通部材となる柱脚３の樹脂コーティング部３ａの断面外形に応じた断面外形を有する筒状の嵌装部４ａと、該嵌装部４ａの外縁に水密的に接続された鍔部４ｂとを有してハット型に形成されている。
【００１８】
そして、屋上床１を貫通した柱脚３の外周に樹脂製のハット型の防水部材４の嵌装部４ａを嵌装し、屋上床１に敷設された樹脂製の防水シート１ａに防水部材４の樹脂製の鍔部４ｂを溶着させる。溶着に際しては、図３に示して前述したように防水シート１ａと鍔部４ｂとの間に刷毛を使って溶剤を塗布することで溶着することが出来る。また、ドライヤーや超音波加熱装置等により熱溶着することも出来る。
【００１９】
柱脚３の樹脂コーティング部３ａは、防水部材４の嵌装部４ａが嵌装される部位の少なくとも上部の外周表面の全周に亘って設けられており、該樹脂コーティング部３ａに防水部材４の樹脂製の嵌装部４ａを水密的に溶着させる。溶着に際しては、前述と同様に樹脂コーティング部３ａと嵌装部４ａとの間に刷毛を使って溶剤を塗布することで溶着することが出来る。また、ドライヤーや超音波加熱装置等により熱溶着することも出来る。
【００２０】
これにより屋上床１と柱脚３との間の防水性能が確保される。また、従来例の締付バンド５７やシール材５５の打設が不要であるので部品コストや材料コストも削減出来る。
【００２１】
柱脚３の断面形状は矩形以外にも他の多角形や円形や楕円形等、種々の断面形状を有する柱脚３に応じて嵌装部４ａの断面形状を設定し、その嵌装部４ａの外縁に鍔部４ｂを水密的に接続したものを採用すれば良い。
【００２２】
また、本実施形態では、嵌装部４ａが筒型で鍔部４ｂが連続した外周を有して構成した場合の一例について説明したが、嵌装部４ａと鍔部４ｂの一部を切断して開放した形状で防水部材４を構成し、柱脚３の外周側部から開放した防水部材４を装着して柱脚３に巻き付け、開放端部を水密的に溶着することも出来る。この場合、柱脚３の上部が大きい断面で、嵌装部４ａが挿通出来ない場合でも柱脚３の屋上床１近傍に防水部材４を容易に装着することが出来る。
【００２３】
また、溶着以外にも接着剤等を介して、防水部材４の鍔部４ｂと防水シート１ａとを水密的に接着し、柱脚３の樹脂コーティング部３ａと鍔部４ｂとを水密的に接着することも出来る。
【００２４】
また、被貫通部材として、ベランダのベランダ床や屋上の周りに立ち上がったパラペットに対して貫通する柱脚３等の貫通部材を立設する場合にも同様に適用出来る。
【００２５】
被貫通部材の表面が樹脂面で構成される一例としては、前述のように樹脂製の防水シート１ａが敷設される他に、被貫通部材の表面が樹脂製の防水層や樹脂製の仕上げ材で構成される場合も含まれる。
【００２６】
【発明の効果】
本発明は、上述の如き構成と作用とを有するので、建物の屋上やベランダ等の被貫通部材を貫通して突出した柱脚等の貫通部材の外形に関わらず防水性能が確保出来、美観も向上出来る。
【００２７】
即ち、防水部材の嵌装部を貫通部材に嵌装して該嵌装部と貫通部材表面の樹脂コーティング部とが水密的に溶着または接着される構成としたことで建物の屋上やベランダ等の被貫通部材を貫通して突出した柱脚等の貫通部材の外形に関わらず防水性能が確保出来、これにより前述した従来例と比較して美観も向上出来る。
【００２８】
また、防水部材は嵌装部の外縁に水密的に接続された鍔部を有し、被貫通部材の表面が樹脂面であり、防水部材の鍔部が樹脂製で、該鍔部と被貫通部材の樹脂面とが溶着または接着される構成とした場合には、被貫通部材と、これを貫通する貫通部材との間の防水性能が確保出来る。
【図面の簡単な説明】
【図１】本発明に係る貫通部材の防水構造を示す分解斜視図である。
【図２】本発明に係る貫通部材の防水構造を示す斜視図である。
【図３】従来例を説明する図である。
【図４】従来例を説明する図である。
【符号の説明】
１…屋上床
１ａ…防水シート
２…鉄骨梁
３…柱脚
３ａ…樹脂コーティング部
４…防水部材
４ａ…嵌装部
４ｂ…鍔部
【図１】
2004076381.tif 000003
【図２】
2004076381.tif 000004
【図３】
2004076381.tif 000005
【図４】
2004076381.tif 000006